(57)【要約】【課題】不使用時には折り畳んで保管し、陽、雨、風、熱、音などを遮蔽するときは環状チューブに空気等を圧入して形成する遮蔽システム。【解決手段】陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに、支柱、柄、吊り具のいずれかを取り付けた遮蔽システム【選択図】図１
2014090770.tif 000002
【特許請求の範囲】
【請求項１】
陽、雨、風、熱、音などを遮蔽するためのシートと、該シートの外周縁の周方向に展着して空気、水、窒素、ヘリウムガスのいずれかの流体を圧入する環状ホースと、該環状ホースに連結された流体を圧入する流体圧入装置、流体排出装置及び流体のストッパー・切り替え器の流体制御機器と、前記シート又は前記環状ホースに支柱、柄、吊り具、ロープ、紐のいずれかを取り付けたことを特徴とする遮蔽システム
【請求項２】
前記環状ホースは、内面に気体密封処理を施した織布、ゴム又は合成樹脂のいずれかの材料で形成されていることを特徴とする請求項１に記載の遮蔽システム
【請求項３】
前記環状ホースは、前記シートの外周端を内側に織り込んで中空の連通した袋体を形成した袋体の中に挿入して、該環状ホースに圧縮流体を充填することにより前記シートの外周端の外側へ張る力が強く働いて展張することを特徴とする請求項１又は２に記載の遮蔽システム
【請求項４】
前記環状ホースは、前記シートの外周端を内側に織り込んで形成した中空の連通した袋体で、前記中空の連通した袋体に圧縮流体を充填することにより前記シートの外周端の外側へ張る力が強く働いて展張することを特徴とする請求項１又は２に記載の遮蔽システム
【請求項５】
前記シートは、平面又は略円錐形状に形成されていることを特徴とする請求項１〜４のいずれかに記載の遮蔽システム
【請求項６】
前記環状ホースに囲まれた内側のシートに、前記環状ホースと中心を同一にした１本または複数本の環状ホースを展着したことを特徴とする請求項１〜５のいずれかに記載の遮蔽システム。
【請求項７】
前記環状ホースと流体を圧入する流体圧入装置、流体排出装置との間に流量計又は圧力計が連結されていることを特徴とする請求項１〜６のいずれかに記載の遮蔽システム
【請求項８】
請求項１のシート又は環状ホースに取り付ける支柱又は柄は、該支柱又は柄内に流体圧入装置及び流体排出装置流体及びストッパー・切り替え器の流体制御機器を組み込んだことを特徴とする遮蔽システム。
【発明の詳細な説明】
【技術分野】
【０００１】
本発明は、遮蔽システムに係り、
さらに詳しくは、雨、風、音などを遮蔽するためのシートと、該シートの外周縁の周方向に展着して空気、水、窒素、ヘリウムガスのいずれかの流体を圧入する環状ホースと、該環状ホースに連結された流体を圧入する流体圧入装置、流体抜取り装置及び流体のストッパー・切り替え器の流体制御機器と、前記シート又は前記環状ホースに支柱、柄、吊り具、ロープ、紐のいずれかを取り付けたことを特徴とし、安全な携帯用雨傘や簡易テントなどに使用するする遮蔽システムに関するものである。
【背景技術】
【０００２】
一般的な傘、携帯用の折り畳み傘やビニール傘の構造では、
（イ）傘を開いたときに親骨の先端にある露先は他人の顔や目に当たると非常に危険である。
（ロ）傘は、現在の構造や使用材では更なる小型・軽量化は難しい。
（ハ）傘の親骨は細い金属で製作されている構造上、折れ曲がるなどの故障が多い。
（二）廃棄されるビニール傘は、金属やビニール分別など、後始末が大変。
【０００３】
上記のような欠点や問題点があったが、これを解決する方法として
不使用時にはコンパクトな形で携帯することができ、また使用時には簡単に開傘することができて、雨具又は日除け機能を有する軽量且つ簡便なエア傘が提供されている。 (例えば、特許文献１参照) 
図１０は、下記特許文献１に記載された本考案の一実施例を示す斜視図で、 エア（ａ）の圧入により開傘し、エア（ａ）の引抜きにより閉傘する傘具（１）であって、柄（１２）又は傘本体（１１）にエア導入口（１２１）が設けられ、当該エア導入口（１２１）から、人間の口、エアポンプ、又はエアボンベ等の吹込み手段（Ａ）でエア（ａ）を圧入することにより、少なくとも傘本体（１１）が開傘した形態を保持することができるようにした雨具である。
【０００４】
また、日除けや雨除けなどに用いられる簡易テントで、金属製の部材重量を軽量化し、製造コストの上昇を抑制する目的で、概ね円形状に形成されたシートの外径方向に張力を付与する複数本の弾性棒状部材を挿入し、シートの中心部に設けられた吊り具を介してシートを立木の枝などに吊るす構造のものがある。（特許文献２参照）。
【０００５】
図１１は、下記特許文献２に記載された簡易テントの組立前の状態を平面的に示す図で、簡易テント１０は、概ね円形状に形成されたシート１１と、シート１１の周縁部に形成された棒状部材挿通部１１１，１１２，１１３に挿入されてシート１１に外径方向の張力を付与する弾性棒状部材１２ａ，１２ｂ，１２ｃと、弾性棒状部材１２ａ，１２ｂ，１２ｃをシート１１の周方向に沿ってリング状に連結する連結具１３ａ，１３ｂ，１３ｃとを備えている。シート１１は、伸縮性を有する織物布地から形成されているとともに、中心部に吊り具１４を有している。
【先行技術文献】
【特許文献】
【０００６】
【特許文献１】登録実用新案第３０７２６６１号公報（図１参照）
【特許文献２】特開２０１１−１８４８９０号公報（図１参照）
【発明の概要】
【発明が解決しようとする課題】
【０００７】
上記実用新案文献１のエア式傘によれば、基本構造の親骨や布などがチューブ状の熱可塑性プラスチックフイルムで形成されている。前記実用新案文献１の請求項１では単に「エアの出し入れにより傘本体が開傘した形態を保持する」の記載となっており傘の構成方法は細部まで分からないが、請求項２の文中に「当該チューブ状の中空部にエアを圧入することにより骨組が形成されて、・・・」との記述があり、また、明細書０００９に傘は少なくともチューブの骨が組合されて構成されている、と理解しており、チューブによる骨組みでは製造が煩雑で強度的に弱い問題がある。
【０００８】
上記特許文献２の簡易テントによれば、基本構造は伸縮性を有する織物布地のシート、ガラス繊維強化プラスチックの弾性棒状部材やアルミニウム等の連結具で構成されているが、弾性棒状部材を棒状部材挿通部に挿入するために弾性棒状部材を分割しており、取り扱いが面倒である。
【０００９】
そこで、本発明はこのような従来技術が潜在的に抱えている課題を解決するためになされたもので、雨傘の親骨に相当する複雑な形状のチューブでは、チューブの接続箇所が多く、エア漏れを起こしやすいのでエア圧を高めることが困難であることから、チューブの骨組みを不要にする方法の考案と、簡易テントにおいては弾性棒状部材を棒状部材挿通部に挿入するなどの煩雑さや、更なる軽量化を図ることで、利便性や利用箇所の拡大を図ることを目的とするものである。
【課題を解決するための手段】
【００１０】
上記目的を達成するために、本発明の第１の態様の遮蔽システムは、雨、風、音などを遮蔽するためのシートと、該シートの外周縁の周方向に展着して空気、水、窒素、ヘリウムガスのいずれかの流体を圧入する環状ホースと、該環状ホースに連結された流体を圧入する流体圧入装置、流体抜取り装置及び流体のストッパー・切り替え器の流体制御機器と、前記シート又は前記環状ホースに支柱、柄、吊り具、ロープ、紐のいずれかを取り付けたことを特徴とする。
【００１１】
本発明の第２の態様の遮蔽システムは、前記環状ホースは、内面に気体密封処理を施した織布、ゴム又は合成樹脂のいずれかの材料で形成されていることを特徴とする。
【００１２】
本発明の第３の態様の遮蔽システムは、前記環状ホースは、前記シートの外周端を内側に織り込んで中空の連通した袋体を形成した袋体の中に挿入して、該環状ホースに圧縮流体を充填することにより前記シートの外周端の外側へ張る力が強く働いて展張することを特徴とする。
【００１３】
本発明の第４の態様の遮蔽システムは、前記環状ホースは、前記シートの外周端を内側に織り込んで形成した中空の連通した袋体で、前記中空の連通した袋体に圧縮流体を充填することにより前記シートの外周端の外側へ張る力が強く働いて展張することを特徴とする。
【００１４】
本発明の第５の態様の遮蔽システムは、前記シートは、平面又は略円錐形状に形成されていることを特徴とする。
【００１５】
本発明の第６の態様の遮蔽システムは、前記環状ホースに囲まれた内側のシートに、前記環状ホースと中心を同一にした１本または複数本の環状ホースを展着したことを特徴とする。
【００１６】
本発明の第７の態様の遮蔽システムは、前記環状ホースと流体を圧入する流体圧入装置及び流体抜取り装置との間に流量計又は圧力計が連結されていることを特徴とする。
【００１７】
本発明の第８の態様の遮蔽システムは、シート又は環状ホースに取り付ける支柱又は柄は、該支柱又は柄内に流体のストッパーと流体圧入装置及び流体抜取り装置を組み込んだことを特徴とする。
【発明の効果】
【００１８】
本発明に係る遮蔽システムによれば、雨、風、音などを遮蔽するためのシートと、該シートの外周縁の周方向に展着して空気、水、窒素、ヘリウムガスのいずれかの流体を圧入する環状ホースと、該環状ホースに連結された流体を圧入する流体圧入装置、流体抜取り装置及び流体のストッパー・切り替え器の流体制御機器と、前記シート又は前記環状ホースに支柱、柄、吊り具、ロープ、紐のいずれかを取り付けているから、携帯傘に利用したときは、環状ホースへの圧入力を強くすることが可能となり、外径方向へ強い張力が生じることで、従来の親骨の機能をシートが代替する働きをすることから、親骨に相当するチューブの骨組みは不要となる。
【００１９】
更に、本発明に係る遮蔽システムによれば、環状チューブに流体を圧入すればシートが展張されることから、携帯傘に利用したときは、親骨だけでなく従来は傘の中央に設けていた親骨を支えるための中骨についても必要なく、該中骨に代えシートを支える柄を設けるだけで済み、究極の簡単な構造の携帯傘となり、ついてはコストの低減を図ることが可能となる。
【００２０】
また、本発明に係る遮蔽システムによれば、簡易テントにおいても同様、環状ホースへの圧入力を強くすることで外径方向へ強い張力が生じ、前記環状ホースが弾性棒状部材を代替でき、これにより、従来の弾性棒状部材を棒状部材挿通部に挿入・連結するなどの煩雑さを不要にでき、この結果、本願発明においては更なる大型化、軽量化、利便性により利用箇所の拡大が図れる。
【図面の簡単な説明】
【００２１】
【図１】図１は遮蔽システムの代表的なもので、図１aは遮蔽システムの概略斜視図、図１bはa―a’で切断した遮蔽体が平面のときの断面図、図１cはa―a’で切断した遮蔽体が円錐形のときの断面図である。
【図２】図２は遮蔽体に設けられた環状ホースの形態の断面図で、図２aは環状ホースをシート外周に直接結合したもの、図２bは環状ホースをシート外周に設けられた連通した袋体の中に挿入したもの、図２cはシート外周に連通した袋体を設け、該袋体を環状ホースとしたものである。
【図３】図３はシートが平面な遮蔽体に柄を取り付けた雨傘を展張した状態で、図２aは平面図、図２bはb―b’で切断したときの断面図である。
【図４】図４はシートが円錐形の遮蔽体に中骨とその下に柄を設けた雨傘を展張した状態で、図３aは平面図、図３bはc―c’で切断したときの断面図である。
【図５】図５は遮蔽体に取り付ける柄の中に組み込まれた流体制御機器の形態の断面図で、図５aは手動のエアポンプを組み込んだもの、図５bは手動の他のエアポンプを組み込んだもの、図５cはエアボンベを組み込んだもの、図５dは電動小型コンプレッサーを組み込んだものである。
【図６】図６は簡易テントの使用形態を表す断面図で、図６aはシートが円錐形の遮蔽体の中央に支柱を設け遮蔽体の外周に設けた紐・ロープを展張して固定するようにしたもの、図６bはシートが円錐形の遮蔽体の中央に吊り具を設け遮蔽体の外周に設けた紐・ロープを展張して固定するようにしたもの、図６cはシートが平面の遮蔽体の中央に吊り具を設け遮蔽体の外周に設けた紐・ロープを展張して固定するようにしたものである。
【図７】図７は２本の環状ホースを使用した簡易吊りテントで、図７aはその平面図、図７bは該テントを展張し、固定したd―d’で切断したときの断面図である。
【図８】図８は２本の環状ホースを使用した平面の遮蔽体を、自動車の日除けとして使用したときの簡易テントで、図８aはその平面図、図８bは側面図である。
【図９】図９はホースとチューブの比較図で、図９aはチューブで製作した門形エレメント外略図、図９bは本願発明に使用した環状ホースの概略図である。
【図１０】図１０は先行事例1の傘図(図１)である。
【図１１】図１１は先行事例２の簡易テント図(図１)である。
【発明を実施するための最良の形態】
【００２２】
以下、図面を参照して本発明の実施形態を説明する。但し、以下に示す実施形態は本発明の技術思想を具体化するための遮蔽システムを例示するものであって、本発明をこれらに特定することを意図するものではなく、特許請求の範囲に含まれるその他の実施形態のものにも等しく適応し得るものである。
【００２３】
図１を参照して、本発明の実施形態に係る遮蔽システムの構成を説明する。なお、図１は本発明の実施形態に係る遮蔽システムの概略斜視図とシート形状が平面と円錐形の断面図である。
【００２４】
本考案の遮蔽システム1は、略円形のシート２の外周縁の周方向に展着して空気等の流体を圧入する環状ホース３からなる遮蔽体４と、該環状ホース３に連結された流体を制御する流体制御機器１０でその構成は流体圧入装置１０１、流体抜取り装置１０２及び流体の切り替え器１０３、流量・圧力計１０４とこれらを繋ぐチューブ１０５かららなり、前記シート２又は前記環状ホース３に柄５１、支柱５３、吊り具５５、ロープ５５、紐５５のいずれかを取り付けたことを特徴とする遮蔽システム1である。
【００２５】
これまでの雨傘などは、中心の中骨に親骨の張力で内側から広げる構造となっており、チューブを利用したものも考案されているがチューブでは強い弾性復元力を得ることはできず、親骨をチューブに置き換えた従来の延長でしかなかった。
本発明の最大の特徴としては、環状ホース３に流体を圧入すると該環状ホース３がシート２に略円状に展着されているため直線状に戻ろうとする強い弾性復元力が発生し、この弾性復元力が該シート２の外径方向に働いて遮蔽体４が形成される。
シート２の素材は、柔軟性、耐候性、耐衝撃性に優れ、また、嵩少なに折畳める熱可塑性プラスチックフィルムや織布が適している。
【００２６】
一方、環状ホース３は内面に気体密封処理を施した織布、ゴム又は合成樹脂が適している。
【００２７】
図１aでは、シート２と環状ホース３により形成された遮蔽体４に圧入する流体を制御する流体制御機器１０を設けているが、使用する遮蔽体４により手動のエアポンプでも良く、必要機能だけを取り付けたものでよい。
図示してないが環状ホース３に圧縮流体を導入する吹込み口は環状ホース３の適宜個所に設けられるが、図１aのようにチューブ１０５に連結して他の場所より注入することもできる。
【００２８】
図１bはシート２が略円形のものを使用したときの遮蔽体をa―a’で切断したときの断面図で、図１cはシート２が円錐形状のものを使用したときの遮蔽体をa―a’で切断したときの断面図であり、いずれも展張したときのものである。
これにより、遮蔽体４を使用しないときは、折り畳んでコンパクトに仕舞え、使用するときは流体を圧入して展張する特徴を有する。
【００２９】
また、使用部材が少なく、製作が簡単なことから製造コストを安くでき、軽量化、小型化も図れる。
【００３０】
図２はシートの外周縁に設けられた環状ホース３の形態別の断面図で、図２aは環状ホース３をシート外周２に直接結合したものであるから、それぞれの部材を専門に製造しているところから調達し、製造工程が簡単にでき、安価に製造ができる。
【００３１】
図２bは環状ホース３をシート２外周に設けられた連通した袋体の中に挿入したものであるから、環状ホース３、シート２のそれぞれの適した材料を使用することができ、環状ホース３には強い圧力をかけることが可能で、大きい張力を必要とする大型のテントやイベントの遊具などに適する。
【００３２】
図２cはシート２外周に連通した袋体を設け、該袋体を環状ホース３としたものであるから、環状ホース３とシート２を同一素材で一体整形できる利点があり、製造工程の単純化が可能となり、特に低圧で利用できる簡易雨傘などの安価に製造ができるものに適している。
【００３３】
図３はシート２が平面な遮蔽体４に柄５１を取り付けた雨傘を展張した状態で、図２aは平面図、図２bはb―b’で切断したときの断面図である。
従来の雨傘は中骨を芯にして親骨が開いてシートを張る構造であるが、本願発明は環状ホース３に空気等が圧入されて遮蔽体４が展張する仕組みであることから、中骨や親骨が必要でなく製造が非常に簡単であり、また、重量が非常に軽いから柄５１を自由な処に取り付けすることができ、更には、該遮蔽体４の中心に人が入れるので、遮蔽体４の大きさを小さくしても雨が掛からない。
遮蔽体４と柄５１の結着方法は、面ファスナーが取り外しも簡単にでき、これにより遮蔽体４を換えて楽しむ方法や使い捨てにしてもよく、柄５１についても遮蔽体４を展張するための流体制御機器１０を中に組み込むなど利便性の向上が可能である。    
流体制御機器１０の仕組みについては図５で詳細に説明する。
【００３４】
図４はシート２が円錐形の遮蔽体４に中骨５２とその下に柄５１を設けた雨傘を展張した状態で、図４aは平面図、図４bはc―c’で切断したときの断面図で、従来の雨傘のイメージを重視したものである。
遮蔽体４を展張するときは柄５１〜中骨５２〜シート２〜環状ホース3に配したチューブ１０５から空気等を圧入する。
【００３５】
遮蔽体４と中骨５２を固定する方法として、取り外しができるように接合面を設け面ファスナーなどで結着する。また、遮蔽体４が上下に不安定となるので、環状ホース３の複数個所に紐５５を取り付けて遮蔽体４が張った状態になるように中骨５２に固定する。
この力関係を図４bで見ると、Ｘは中骨５２から環状ホース３に働く張力でシート２を支え、Ｙは固定された中骨５２、Ｚは環状ホース３と中骨５２を結んでこれに働く張力とで三角形を形成し、遮蔽体４が張った状態になる。
重要なのは、ＹとＺで作る内角が９０度より少し小さめに紐５５の長さを調整すると良い。また、紐５５を中骨５２に固着する方法としては面ファスナーなどで取り外しを自由にすることで、遮蔽体４の取替えが自由にできる。
【００３６】
図５は遮蔽体４に取り付ける柄５１の中に組み込まれた流体制御機器１０の形態の断面図で、図５aは手動のエアポンプを組み込んだもの、図５bは手動の他のエアポンプを組み込んだもの、図５cはエアボンベを組み込んだもの、図５dは電動小型コンプレッサーを組み込んだものである。
遮蔽体４と柄５１との接合方法は、その強度、遮蔽体４の取り外しの自由度や使い捨て、又、コストを考えると面ファスナーなどが良い。
更に遮蔽体４の接着面に空気等を圧入するチューブ１０５の接続口を内包し、流体制御機器１０に接続するときにチューブ１０５も同時にできるようにする。  
雨傘などが必要とする空気圧は低圧でよいので、電動小型コンプレッサーを利用した流体圧入機器１０１、流体排出機器１０２、ストッパー・切り替え器１０３、流量・圧力計１０４などが組み込まれた携帯型を開発可能である。
【００３７】
図６、図７は簡易テント7の使用形態、形状を表す断面図で、図６aはシート２が円錐形の遮蔽体４の中央に支柱５３を設け遮蔽体４の外周に設けた紐・ロープ５５を展張して固定するようにしたもの、図６bはシート２が円錐形の遮蔽体４の中央に吊り具５５を設け、遮蔽体４の外周に設けた紐・ロープ５５を展張して固定するようにしたもの、図６cはシート２が平面の遮蔽体４の中央に吊り具５５を設け遮蔽体４の外周に設けた紐・ロープ５５を展張して固定するようにしたものである。
【００３８】
図７aは２本の環状ホース３を使用した簡易吊りテント７の平面図、図７bは該テントを展張し、固定したd―d’で切断したときの断面図である。
先行事例２のように弾性棒状部材をリング状に連結する方法では、弾性棒状部材や連結具の保管を含め取り扱いが面倒で、重量もあり、高価で、特に大型化が難しい難点がある。
本願発明はでは図７のように遮蔽体4に複数本の環状ホース３を使用することで、大型化しても軽重量、安全で、展張力が落ちることはなく、ビルの中庭やイベントなど活用範囲は広い。
【００３９】
図８は２本の環状ホース３を使用した平面の遮蔽体4を、自動車の日除けとして使用したときの自動車用日除けテント８で、図８aはその平面図、図８bは側面図である。
従来の自動車カバーは、自動車本体を包み込むため屋根で熱せられた空気が放熱されず、車窓外で熱が対流しないために車内に蓄熱されるからで、要因は誰しも分かっているが、図８bのように車上全体をカバーする簡易日除けカバーを考えても金属等の構造物となり、取り扱いの煩雑さや安価に製作ができなかった。
本願発明は環状ホース３に空気等が圧入されて遮蔽体４が展張する仕組みで軽量であるから自動車の上面一体に展張しても空間を設けることができ、金属などを使用しないので傷つけることがなく、取り扱いが簡単で、安価に製作できる。
【００４０】
図９はホースとチューブの特徴を図で比較したもので、図９aは公開実用新案の平５−１７０３６に記述されている門形をなす枠エレメントでチューブ構造のもの、図９bは本願発明の環状チューブによるものである。
環状チューブは空気等が圧入されることにより円周の外側へ働く張力(直進する力)が強く、常に外側に跳ねようとする力が働いており、途中を切断するようなことがあれば環状が崩れ、図９bのように１本のホースに戻る。
【００４１】
一方、前記文献の枠エレメントを構成するチューブは、図９aにあるようにチューブの製造時に既に形状を形成済みのもので、チューブの途中を切断して空気を圧入しても当初の形状を保つのが特徴で、前記文献中にも関連するような記述はない。
すなわち、環状ホースの特徴はこの直線状に戻ろうとする力が、環状の外への張力として働き、強い平面構造体をなすこと、ゆえに使用するホースのサイズが細くても展張強度の高い遮蔽体を提供するものです。
しかしながら、現実はチューブの中にもホースの機能に近いものもあり全て用語で仕切れるものではないとも思っています。
【００４２】
参考として次に用語について記述しております。「ホース」と「チューブ」の辞書の用語の解釈には、いずれも共通の意味で「管」として翻訳がされており、同意語のように扱われていますが、用語使用には文化的なものかも知れないが違いがあります。例えば、
(1)「消防用ホース」とは言うが「消防用チューブ」とは言いません。
【００４３】
(2)「歯磨用チューブ」とは言いますが、「歯磨用ホース」とは言いません。
【００４４】
(3)「タイヤチューブ」ですが、これも「タイヤホース」とは言いません。
以上のように違いがあり、本願発明で用いている「環状ホース」の語意はその特徴や意味するところを明確にしたく使用したもので、ご理解いただきたく思います。
【産業上の利用可能性】
【００４５】
遮蔽システムは、小さいものでは携帯型雨・日除け帽として、また、携帯型簡易雨傘として、また、自動車の日除けテントや大型の携帯型雨・日除けテント、そして遊具などその適用範囲は今後更に広がると確信しています。
【符号の説明】
【００４６】
１        遮蔽システム  
２        シート
３        環状ホース
４        遮蔽体
５        遮蔽体の固定具
５１      柄
５２      (傘)中骨
５３      支柱
５５      吊り具・紐・ロープ
６１      簡易雨傘
６２      従来型簡易雨傘
７        簡易テント
８        自動車用日除けテント
１０      流体制御機器
１０１    流体圧入機器
１０２    流体排出機器
１０３    ストッパー・切り替え器
１０４    流量・圧力計
１０５    チューブ
１０６    手動エアポンプ(往復式)
１０７    手動エアポンプ(蛇腹式)  
１０８    ガスボンベ
１０９    小型電動コンプレッサー
X         三角形の一辺(シート長)        
Y         三角形の一辺(中骨の固定長)                  
Z         三角形の一辺(固定させる紐の長さ)              
【図１】
2014090770.tif 000003
【図２】
2014090770.tif 000004
【図３】
2014090770.tif 000005
【図４】
2014090770.tif 000006
【図５】
2014090770.tif 000007
【図６】
2014090770.tif 000008
【図７】
2014090770.tif 000009
【図８】
2014090770.tif 000010
【図９】
2014090770.tif 000011
【図１０】
2014090770.tif 000012
【図１１】
2014090770.tif 000013
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに、支柱、柄、吊り具のいずれかを取り付けたことを特徴とする遮蔽システム
【請求項２】
前記環状ホースは、前記シートの外周端を内側に折り込んで中空の連通した袋体を形成した袋体の中に挿入して、該環状ホースに圧縮流体を充填することにより前記シートの外周端の外側へ張る力が強く働いて展張することを特徴とする請求項１に記載の遮蔽システム
【請求項３】
前記環状ホースは、前記シートの外周端を内側に折り込んで形成した中空の連通した袋体で、前記中空の連通した袋体に圧縮流体を充填することにより前記シートの外周端の外側へ張る力が強く働いて展張することを特徴とする請求項１に記載の遮蔽システム
【手続補正２】
【補正対象書類名】明細書
【補正対象項目名】全文
【補正方法】変更
【補正の内容】
【発明の詳細な説明】
【技術分野】
【０００１】
本発明は、遮蔽システムに係り、
さらに詳しくは、陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに、支柱、柄、吊り具のいずれかを取り付けたことを特徴とする遮蔽システムに関するものである。
【背景技術】
【０００２】
一般的な傘、携帯用の折り畳み傘やビニール傘の構造では、
（イ）傘を開いたときに親骨の先端にある露先は他人の顔や目に当たると非常に危険である。
（ロ）傘は、現在の構造や使用材では更なる小型・軽量化は難しい。
（ハ）傘の親骨は細い金属で製作されている構造上、折れ曲がるなどの故障が多い。
（二）廃棄されるビニール傘は、金属やビニール分別など、後始末が大変。
【０００３】
上記のような欠点や問題点があったが、これを解決する方法として
不使用時にはコンパクトな形で携帯することができ、また使用時には簡単に開傘することができて、雨具又は日除け機能を有する軽量且つ簡便なエア傘が提供されている。 (例えば、特許文献１参照) 
図１０は、下記特許文献１に記載された本考案の一実施例を示す斜視図で、 エア（ａ）の圧入により開傘し、エア（ａ）の引抜きにより閉傘する傘具（１）であって、柄（１２）又は傘本体（１１）にエア導入口（１２１）が設けられ、当該エア導入口（１２１）から、人間の口、エアポンプ、又はエアボンベ等の吹込み手段（Ａ）でエア（ａ）を圧入することにより、少なくとも傘本体（１１）が開傘した形態を保持することができるようにした雨具である。
【０００４】
また、日除けや雨除けなどに用いられる簡易テントで、金属製の部材重量を軽量化し、製造コストの上昇を抑制する目的で、概ね円形状に形成されたシートの外径方向に張力を付与する複数本の弾性棒状部材を挿入し、シートの中心部に設けられた吊り具を介してシートを立木の枝などに吊るす構造のものがある。（特許文献２参照）。
【０００５】
図１１は、下記特許文献２に記載された簡易テントの組立前の状態を平面的に示す図で、簡易テント１０は、概ね円形状に形成されたシート１１と、シート１１の周縁部に形成された棒状部材挿通部１１１，１１２，１１３に挿入されてシート１１に外径方向の張力を付与する弾性棒状部材１２ａ，１２ｂ，１２ｃと、弾性棒状部材１２ａ，１２ｂ，１２ｃをシート１１の周方向に沿ってリング状に連結する連結具１３ａ，１３ｂ，１３ｃとを備えている。シート１１は、伸縮性を有する織物布地から形成されているとともに、中心部に吊り具１４を有している。
【先行技術文献】
【特許文献】
【０００６】
【特許文献１】登録実用新案第３０７２６６１号公報（図１参照）
【特許文献２】特開２０１１−１８４８９０号公報（図１参照）
【発明の概要】
【発明が解決しようとする課題】
【０００７】
上記実用新案文献１のエア式傘によれば、基本構造の親骨や布などがチューブ状の熱可塑性プラスチックフイルムで形成されている。前記実用新案文献１の請求項１では単に「エアの出し入れにより傘本体が開傘した形態を保持する」の記載となっており傘の構成方法は細部まで分からないが、請求項２の文中に「当該チューブ状の中空部にエアを圧入することにより骨組が形成されて、・・・」との記述があり、また、明細書０００９に傘は少なくともチューブの骨が組合されて構成されている、と理解しており、チューブによる骨組みでは製造が煩雑で強度的に弱い問題がある。
【０００８】
上記特許文献２の簡易テントによれば、基本構造は伸縮性を有する織物布地のシート、ガラス繊維強化プラスチックの弾性棒状部材やアルミニウム等の連結具で構成されているが、弾性棒状部材を棒状部材挿通部に挿入するために弾性棒状部材を分割しており、取り扱いが面倒である。
【０００９】
そこで、本発明はこのような従来技術が潜在的に抱えている課題を解決するためになされたもので、雨傘の親骨に相当する複雑な形状のチューブでは、チューブの接続箇所が多く、エア漏れを起こしやすいのでエア圧を高めることが困難であることから、チューブの骨組みを不要にする方法の考案と、簡易テントにおいては弾性棒状部材を棒状部材挿通部に挿入するなどの煩雑さや、更なる軽量化を図ることで、利便性や利用箇所の拡大を図ることを目的とするものである。
【課題を解決するための手段】
【００１０】
上記目的を達成するために、本発明の第１の態様の遮蔽システムは、陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに支柱、柄、吊り具のいずれかを取り付けたことを特徴とする。
【００１１】
本発明の第２の態様の遮蔽システムは、前記環状ホースは、前記シートの外周端を内側に折り込んで中空の連通した袋体を形成した袋体の中に挿入して、該環状ホースに圧縮流体を充填することにより前記シートの外周端の外側へ張る力が強く働いて展張することを特徴とする。
【００１２】
本発明の第３の態様の遮蔽システムは、前記環状ホースは、前記シートの外周端を内側に折り込んで形成した中空の連通した袋体で、前記中空の連通した袋体に圧縮流体を充填することにより前記シートの外周端の外側へ張る力が強く働いて展張することを特徴とする。
【発明の効果】
【００１３】
本発明に係る遮蔽システムによれば、陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに、支柱、柄、吊り具のいずれかを取り付けているから、携帯傘に利用したときは、環状ホースへの圧入力を強くすることが可能となり、外径方向へ強い張力が生じることで、従来の親骨の機能をシートが代替する働きをすることから、親骨に相当するチューブの骨組みは不要となる。
【００１４】
更に、本発明に係る遮蔽システムによれば、環状チューブに流体を圧入すればシートが展張されることから、携帯傘に利用したときは、親骨だけでなく従来は傘の中央に設けていた親骨を支えるための中骨についても必要なく、該中骨に代えシートを支える柄を設けるだけで済み、究極の簡単な構造の携帯傘となり、ついてはコストの低減を図ることが可能となる。
【００１５】
また、本発明に係る遮蔽システムによれば、簡易テントにおいても同様、環状ホースへの圧入力を強くすることで外径方向へ強い張力が生じ、前記環状ホースが弾性棒状部材を代替でき、これにより、従来の弾性棒状部材を棒状部材挿通部に挿入・連結するなどの煩雑さを不要にでき、この結果、本願発明においては更なる大型化、軽量化、利便性により利用箇所の拡大が図れる。
【図面の簡単な説明】
【００１６】
【図１】図１は遮蔽システムの代表的なもので、図１aは遮蔽システムの概略斜視図、図１bはa―a’で切断した遮蔽体が平面のときの断面図である。
【図２】図２は遮蔽体に設けられた環状ホースの形態の断面図で、図２aは環状ホースをシート外周に直接結合したもの、図２bは環状ホースをシート外周に設けられた連通した袋体の中に挿入したもの、図２cはシート外周に連通した袋体を設け、該袋体を環状ホースとしたものである。
【図３】図３はシートが平面な遮蔽体に柄を取り付けた雨傘を展張した状態で、図２aは平面図、図２bはb―b’で切断したときの断面図である。
【図５】図５は遮蔽体に取り付ける柄の中に組み込まれた流体制御機器の形態の断面図で、図５aは手動のエアポンプを組み込んだもの、図５bは手動の他のエアポンプを組み込んだもの、図５cはエアボンベを組み込んだもの、図５dは電動小型コンプレッサーを組み込んだものである。
【図８】図８は２本の環状ホースを使用した平面の遮蔽体を、自動車の日除けとして使用したときの簡易テントで、図８aはその平面図、図８bは側面図である。
【図９】図９はホースとチューブの比較図で、図９aはチューブで製作した門形エレメント外略図、図９bは本願発明に使用した環状ホースの概略図である。
【図１０】図１０は先行事例1の傘図(図１)である。
【図１１】図１１は先行事例２の簡易テント図(図１)である。
【発明を実施するための最良の形態】
【００１７】
以下、図面を参照して本発明の実施形態を説明する。但し、以下に示す実施形態は本発明の技術思想を具体化するための遮蔽システムを例示するものであって、本発明をこれらに特定することを意図するものではなく、特許請求の範囲に含まれるその他の実施形態のものにも等しく適応し得るものである。
【００１８】
図１を参照して、本発明の実施形態に係る遮蔽システムの構成を説明する。なお、図１は本発明の実施形態に係る遮蔽システムの概略斜視図とシート形状が平面の断面図である。
【００１９】
本考案の遮蔽システム1は、略円形のシート２の外周縁の周方向に取り付けして空気等の流体を圧入する環状ホース３からなる遮蔽体４と、該環状ホース３に連結された流体を制御する流体制御機器１０でその構成は流体圧入装置１０１、流体抜取り装置１０２及び流体の切り替え器１０３、流量・圧力計１０４とこれらを繋ぐチューブ１０５かららなり、前記シート２又は前記環状ホース３に柄５１、支柱５３、吊り具５５、ロープ５５、紐５５のいずれかを取り付けたことを特徴とする遮蔽システム1である。
【００２０】
これまでの雨傘などは、中心の中骨に親骨の張力で内側から広げる構造となっており、チューブを利用したものも考案されているがチューブでは強い弾性復元力を得ることはできず、親骨をチューブに置き換えた従来の延長でしかなかった。
本発明の最大の特徴としては、環状ホース３に流体を圧入すると該環状ホース３がシート２に略円状に取り付けされているため直線状に戻ろうとする強い弾性復元力が発生し、この弾性復元力が該シート２の外径方向に働いて遮蔽体４が形成される。
シート２の素材は、柔軟性、耐候性、耐衝撃性に優れ、また、嵩少なに折畳める熱可塑性プラスチックフィルムや織布が適している。
一方、環状ホース３は内面に気体密封処理を施した織布、ゴム又は合成樹脂が適している。
【００２１】
図１aでは、シート２と環状ホース３により形成された遮蔽体４に圧入する流体を制御する流体制御機器１０を設けているが、使用する遮蔽体４により手動のエアポンプでも良く、必要機能だけを取り付けたものでよい。
図示してないが環状ホース３に圧縮流体を導入する吹込み口は環状ホース３の適宜個所に設けられるが、図１aのようにチューブ１０５に連結して他の場所より注入することもできる。
【００２２】
図１bはシート２が略円形のものを使用したときの遮蔽体をa―a’で切断したときの断面図を展張したときのものである。
これにより、遮蔽体４を使用しないときは、折り畳んでコンパクトに仕舞え、使用するときは流体を圧入して展張する特徴を有する。
また、使用部材が少なく、製作が簡単なことから製造コストを安くでき、軽量化、小型化も図れる。
【００２３】
図２はシートの外周縁に設けられた環状ホース３の形態別の断面図で、
図２aは環状ホース３をシート外周２に直接結合したものであるから、それぞれの部材を専門に製造しているところから調達し、製造工程が簡単にでき、安価に製造ができる。
【００２４】
図２bは環状ホース３をシート２外周に設けられた連通した袋体の中に挿入したものであるから、環状ホース３、シート２のそれぞれの適した材料を使用することができ、環状ホース３には強い圧力をかけることが可能で、大きい張力を必要とする大型のテントやイベントの遊具などに適する。
【００２５】
図２cはシート２外周に連通した袋体を設け、該袋体を環状ホース３としたものであるから、環状ホース３とシート２を同一素材で一体整形できる利点があり、製造工程の単純化が可能となり、特に低圧で利用できる簡易雨傘などの安価に製造ができるものに適している。
【００２６】
図３はシート２が平面な遮蔽体４に柄５１を取り付けた雨傘を展張した状態で、図３aは平面図、図３bはb―b’で切断したときの断面図である。
従来の雨傘は中骨を芯にして親骨が開いてシートを張る構造であるが、本願発明は環状ホース３に空気等が圧入されて遮蔽体４が展張する仕組みであることから、中骨や親骨が必要でなく製造が非常に簡単であり、また、重量が非常に軽いから柄５１を自由な処に取り付けすることができ、更には、該遮蔽体４の中心に人が入れるので、遮蔽体４の大きさを小さくしても雨が掛からない。
遮蔽体４と柄５１の結着方法は、面ファスナーが取り外しも簡単にでき、これにより遮蔽体４を換えて楽しむ方法や使い捨てにしてもよく、柄５１についても遮蔽体４を展張するための流体制御機器１０を中に組み込むなど利便性の向上が可能である。    
流体制御機器１０の仕組みについては図５で詳細に説明する。
【００２７】
図５は遮蔽体４に取り付ける柄５１の中に組み込まれた流体制御機器１０の形態の断面図で、図５aは手動のエアポンプを組み込んだもの、図５bは手動の他のエアポンプを組み込んだもの、図５cはエアボンベを組み込んだもの、図５dは電動小型コンプレッサーを組み込んだものである。
遮蔽体４と柄５１との接合方法は、その強度、遮蔽体４の取り外しの自由度や使い捨て、又、コストを考えると面ファスナーなどが良い。
更に遮蔽体４の接着面に空気等を圧入するチューブ１０５の接続口を内包し、流体制御機器１０に接続するときにチューブ１０５も同時にできるようにする。  
雨傘などが必要とする空気圧は低圧でよいので、電動小型コンプレッサーを利用した流体圧入機器１０１、流体排出機器１０２、ストッパー・切り替え器１０３、流量・圧力計１０４などが組み込まれた携帯型を開発可能である。
【００２８】
図８は２本の環状ホース３を使用した平面の遮蔽体4を、自動車の日除けとして使用したときの自動車用日除けテント８で、図８aはその平面図、図８bは側面図である。
従来の自動車カバーは、自動車本体を包み込むため屋根で熱せられた空気が放熱されず、車窓外で熱が対流しないために車内に蓄熱されるからで、要因は誰しも分かっているが、図８bのように車上全体をカバーする簡易日除けカバーを考えても金属等の構造物となり、取り扱いの煩雑さや安価に製作ができなかった。
本願発明は環状ホース３に空気等が圧入されて遮蔽体４が展張する仕組みで軽量であるから自動車の上面一体に展張しても空間を設けることができ、金属などを使用しないので傷つけることがなく、取り扱いが簡単で、安価に製作できる。
【００２９】
図９はホースとチューブの特徴を図で比較したもので、図９aは公開実用新案の平５−１７０３６に記述されている門形をなす枠エレメントでチューブ構造のもの、図９bは本願発明の環状チューブによるものである。
環状チューブは空気等が圧入されることにより円周の外側へ働く張力(直進する力)が強く、常に外側に跳ねようとする力が働いており、途中を切断するようなことがあれば環状が崩れ、図９bのように１本のホースに戻る。
一方、前記文献の枠エレメントを構成するチューブは、図９aにあるようにチューブの製造時に既に形状を形成済みのもので、チューブの途中を切断して空気を圧入しても当初の形状を保つのが特徴で、前記文献中にも関連するような記述はない。
すなわち、環状ホースの特徴はこの直線状に戻ろうとする力が、環状の外への張力として働き、強い平面構造体をなすこと、ゆえに使用するホースのサイズが細くても展張強度の高い遮蔽体を提供するものです。
しかしながら、現実はチューブの中にもホースの機能に近いものもあり全て用語で仕切れるものではないとも思っている。
【００３０】
参考として次に用語について記述しております。「ホース」と「チューブ」の辞書の用語の解釈には、いずれも共通の意味で「管」として翻訳がされており、同意語のように扱われていますが、用語使用には文化的なものかも知れないが違いがあります。例えば、
(1)「消防用ホース」とは言うが「消防用チューブ」とは言いません。
(2)「歯磨用チューブ」とは言いますが、「歯磨用ホース」とは言いません。
(3)「タイヤチューブ」ですが、これも「タイヤホース」とは言いません。
以上のように違いがあり、本願発明で用いている「環状ホース」の語意はその特徴や意味するところを明確にしたく使用したもので、ご理解いただきたく思います。
【産業上の利用可能性】
【００３１】
遮蔽システムは、小さいものでは携帯型雨・日除け帽として、また、携帯型簡易雨傘として、また、自動車の日除けテントや大型の携帯型雨・日除けテント、そして遊具などその適用範囲は今後更に広がると確信しています。
【符号の説明】
【００３２】
１        遮蔽システム  
２        シート
３        環状ホース
４        遮蔽体
５        遮蔽体の固定具
５１      柄
５５      吊り具・紐・ロープ
６１      簡易雨傘
８        自動車用日除けテント
１０      流体制御機器
１０１    流体圧入機器
１０２    流体排出機器
１０３    ストッパー・切り替え器
１０４    流量・圧力計
１０５    チューブ
１０６    手動エアポンプ(往復式)
１０７    手動エアポンプ(蛇腹式)  
１０８    ガスボンベ
１０９    小型電動コンプレッサー
【手続補正４】
【補正対象書類名】図面
【補正対象項目名】図１
【補正方法】変更
【補正の内容】
【図１】
2014090770.tif 000014
【手続補正５】
【補正対象書類名】図面
【補正対象項目名】図４
【補正方法】削除
【補正の内容】
【手続補正６】
【補正対象書類名】図面
【補正対象項目名】図６
【補正方法】削除
【補正の内容】
【手続補正７】
【補正対象書類名】図面
【補正対象項目名】図７
【補正方法】削除
【補正の内容】
【手続補正書】
【提出日】平成25年4月22日(2013.4.22)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
本発明は、遮蔽システムに係り、さらに詳しくは、陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに、支柱、柄、吊り具のいずれかを取り付けたことを特徴とする遮蔽システムに関するものである。
【背景技術】
【０００２】
一般的な傘、携帯用の折り畳み傘やビニール傘の構造では、
（イ）傘を開いたときに親骨の先端にある露先は他人の顔や目に当たると非常に危険である。
（ロ）傘は、現在の構造や使用材では更なる小型・軽量化は難しい。
（ハ）傘の親骨は細い金属で製作されている構造上、折れ曲がるなどの故障が多い。
（二）廃棄されるビニール傘は、金属やビニール分別など、後始末が大変。
【０００３】
上記のような欠点や問題点があったが、これを解決する方法として
不使用時にはコンパクトな形で携帯することができ、また使用時には簡単に開傘することができて、雨具又は日除け機能を有する軽量且つ簡便なエア傘が提供されている。 (例えば、特許文献１参照) 
図７は、下記特許文献１に記載された本考案の一実施例を示す斜視図で、 エア（ａ）の圧入により開傘し、エア（ａ）の引抜きにより閉傘する傘具（１）であって、柄（１２）又は傘本体（１１）にエア導入口（１２１）が設けられ、当該エア導入口（１２１）から、人間の口、エアポンプ、又はエアボンベ等の吹込み手段（Ａ）でエア（ａ）を圧入することにより、少なくとも傘本体（１１）が開傘した形態を保持することができるようにした雨具である。
【０００４】
また、日除けや雨除けなどに用いられる簡易テントで、金属製の部材重量を軽量化し、製造コストの上昇を抑制する目的で、概ね円形状に形成されたシートの外径方向に張力を付与する複数本の弾性棒状部材を挿入し、シートの中心部に設けられた吊り具を介してシートを立木の枝などに吊るす構造のものがある。（特許文献２参照）。
【０００５】
図８は、下記特許文献２に記載された簡易テントの組立前の状態を平面的に示す図で、簡易テント１０は、概ね円形状に形成されたシート１１と、シート１１の周縁部に形成された棒状部材挿通部１１１，１１２，１１３に挿入されてシート１１に外径方向の張力を付与する弾性棒状部材１２ａ，１２ｂ，１２ｃと、弾性棒状部材１２ａ，１２ｂ，１２ｃをシート１１の周方向に沿ってリング状に連結する連結具１３ａ，１３ｂ，１３ｃとを備えている。シート１１は、伸縮性を有する織物布地から形成されているとともに、中心部に吊り具１４を有している。
【先行技術文献】
【特許文献】
【０００６】
【特許文献１】登録実用新案第３０７２６６１号公報（図１参照）
【特許文献２】特開２０１１−１８４８９０号公報（図１参照）
【発明の概要】
【発明が解決しようとする課題】
【０００７】
上記実用新案文献１のエア式傘によれば、基本構造の親骨や布などがチューブ状の熱可塑性プラスチックフイルムで形成されている。前記実用新案文献１の請求項１では単に「エアの出し入れにより傘本体が開傘した形態を保持する」の記載となっており傘の構成方法は細部まで分からないが、請求項２の文中に「当該チューブ状の中空部にエアを圧入することにより骨組が形成されて、・・・」との記述があり、また、明細書０００９に傘は少なくともチューブの骨が組合されて構成されている、と理解しており、チューブによる骨組みでは製造が煩雑で強度的に弱い問題がある。
【０００８】
上記特許文献２の簡易テントによれば、基本構造は伸縮性を有する織物布地のシート、ガラス繊維強化プラスチックの弾性棒状部材やアルミニウム等の連結具で構成されているが、弾性棒状部材を棒状部材挿通部に挿入するために弾性棒状部材を分割しており、取り扱いが面倒である。
【０００９】
そこで、本発明はこのような従来技術が潜在的に抱えている課題を解決するためになされたもので、雨傘の親骨に相当する複雑な形状のチューブでは、チューブの接続箇所が多く、エア漏れを起こしやすいのでエア圧を高めることが困難であることから、チューブの骨組みを不要にする方法の考案と、簡易テントにおいては弾性棒状部材を棒状部材挿通部に挿入するなどの煩雑さや、更なる軽量化を図ることで、利便性や利用箇所の拡大を図ることを目的とするものである。
【課題を解決するための手段】
【００１０】
上記目的を達成するために、本発明の第１の態様の遮蔽システムは、陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに支柱、柄、吊り具のいずれかを取り付けたことを特徴とする。
【００１１】
本発明の第２の態様の遮蔽システムは、前記環状ホースは、前記シートの外周端を内側に折り込んで中空の連通した袋体を形成した袋体の中に挿入して、該環状ホースに圧縮流体を充填することにより前記シートの外周端の外側へ張る力が強く働いて展張することを特徴とする。
【００１２】
本発明の第３の態様の遮蔽システムは、前記環状ホースは、前記シートの外周端を内側に折り込んで形成した中空の連通した袋体で、前記中空の連通した袋体に圧縮流体を充填することにより前記シートの外周端の外側へ張る力が強く働いて展張することを特徴とする。
【発明の効果】
【００１３】
本発明に係る遮蔽システムによれば、陽、雨、風、熱、音などを遮蔽するための略円形のシートと、該シートの外周縁の周方向に取り付けして空気、水、窒素、ヘリウムガスのいずれかの流体を圧入する環状ホースと、該環状ホースに連結された流体を圧入する流体圧入装置、流体排出装置及び流体のストッパー・切り替え器からなる流体制御機器と、該流体制御機器と前記環状ホースとの間に連結された流量計又は圧力計と、を有し、圧縮流体を充填することにより前記シートの外周端の外側へ張る力が強く働いて展張する前記環状ホースに、支柱、柄、吊り具のいずれかを取り付けているから、携帯傘に利用したときは、環状ホースへの圧入力を強くすることが可能となり、外径方向へ強い張力が生じることで、従来の親骨の機能をシートが代替する働きをすることから、親骨に相当するチューブの骨組みは不要となる。
【００１４】
更に、本発明に係る遮蔽システムによれば、環状チューブに流体を圧入すればシートが展張されることから、携帯傘に利用したときは、親骨だけでなく従来は傘の中央に設けていた親骨を支えるための中骨についても必要なく、該中骨に代えシートを支える柄を設けるだけで済み、究極の簡単な構造の携帯傘となり、ついてはコストの低減を図ることが可能となる。
【００１５】
また、本発明に係る遮蔽システムによれば、簡易テントにおいても同様、環状ホースへの圧入力を強くすることで外径方向へ強い張力が生じ、前記環状ホースが弾性棒状部材を代替でき、これにより、従来の弾性棒状部材を棒状部材挿通部に挿入・連結するなどの煩雑さを不要にでき、この結果、本願発明においては更なる大型化、軽量化、利便性により利用箇所の拡大が図れる。
【図面の簡単な説明】
【００１６】
【図１】図１は遮蔽システムの代表的なもので、図１aは遮蔽システムの概略斜視図、図１bはa―a'で切断した遮蔽体が平面のときの断面図である。
【図２】図２は遮蔽体に設けられた環状ホースの形態の断面図で、図２aは環状ホースをシート外周に直接結合したもの、図２bは環状ホースをシート外周に設けられた連通した袋体の中に挿入したもの、図２cはシート外周に連通した袋体を設け、該袋体を環状ホースとしたものである。
【図３】図３はシートが平面な遮蔽体に柄を取り付けた雨傘を展張した状態で、図２aは平面図、図２bはb―b'で切断したときの断面図である。
【図４】図４は遮蔽体に取り付ける柄の中に組み込まれた流体制御機器の形態の断面図で、図４aは手動のエアポンプを組み込んだもの、図４bは手動の他のエアポンプを組み込んだもの、図４cはエアボンベを組み込んだもの、図４dは電動小型コンプレッサーを組み込んだものである。
【図５】図５は２本の環状ホースを使用した平面の遮蔽体を、自動車の日除けとして使用したときの簡易テントで、図５aはその平面図、図５bは側面図である。
【図６】図６はホースとチューブの比較図で、図６aはチューブで製作した門形エレメント外略図、図６bは本願発明に使用した環状ホースの概略図である。
【図７】図７は先行事例1の傘図(図１)である。
【図８】図８は先行事例２の簡易テント図(図１)である。
【発明を実施するための最良の形態】
【００１７】
以下、図面を参照して本発明の実施形態を説明する。但し、以下に示す実施形態は本発明の技術思想を具体化するための遮蔽システムを例示するものであって、本発明をこれらに特定することを意図するものではなく、特許請求の範囲に含まれるその他の実施形態のものにも等しく適応し得るものである。
【００１８】
図１を参照して、本発明の実施形態に係る遮蔽システムの構成を説明する。なお、図１は本発明の実施形態に係る遮蔽システムの概略斜視図とシート形状が平面の断面図である。
【００１９】
本考案の遮蔽システム1は、略円形のシート２の外周縁の周方向に取り付けして空気等の流体を圧入する環状ホース３からなる遮蔽体４と、該環状ホース３に連結された流体を制御する流体制御機器１０でその構成は流体圧入装置１０１、流体抜取り装置１０２及び流体の切り替え器１０３、流量・圧力計１０４とこれらを繋ぐチューブ１０５かららなり、前記シート２又は前記環状ホース３に柄５１、支柱５３、吊り具５５、ロープ５５、紐５５のいずれかを取り付けたことを特徴とする遮蔽システム1である。
【００２０】
これまでの雨傘などは、中心の中骨に親骨の張力で内側から広げる構造となっており、チューブを利用したものも考案されているがチューブでは強い弾性復元力を得ることはできず、親骨をチューブに置き換えた従来の延長でしかなかった。
本発明の最大の特徴としては、環状ホース３に流体を圧入すると該環状ホース３がシート２に略円状に取り付けされているため直線状に戻ろうとする強い弾性復元力が発生し、この弾性復元力が該シート２の外径方向に働いて遮蔽体４が形成される。
シート２の素材は、柔軟性、耐候性、耐衝撃性に優れ、また、嵩少なに折畳める熱可塑性プラスチックフィルムや織布が適している。
一方、環状ホース３は内面に気体密封処理を施した織布、ゴム又は合成樹脂が適している。
【００２１】
図１aでは、シート２と環状ホース３により形成された遮蔽体４に圧入する流体を制御する流体制御機器１０を設けているが、使用する遮蔽体４により手動のエアポンプでも良く、必要機能だけを取り付けたものでよい。
図示してないが環状ホース３に圧縮流体を導入する吹込み口は環状ホース３の適宜個所に設けられるが、図１aのようにチューブ１０５に連結して他の場所より注入することもできる。
【００２２】
図１bはシート２が略円形のものを使用したときの遮蔽体をa―a'で切断したときの断面図を展張したときのものである。
これにより、遮蔽体４を使用しないときは、折り畳んでコンパクトに仕舞え、使用するときは流体を圧入して展張する特徴を有する。
また、使用部材が少なく、製作が簡単なことから製造コストを安くでき、軽量化、小型化も図れる。
【００２３】
図２はシートの外周縁に設けられた環状ホース３の形態別の断面図で、
図２aは環状ホース３をシート外周２に直接結合したものであるから、それぞれの部材を専門に製造しているところから調達し、製造工程が簡単にでき、安価に製造ができる。
【００２４】
図２bは環状ホース３をシート２外周に設けられた連通した袋体の中に挿入したものであるから、環状ホース３、シート２のそれぞれの適した材料を使用することができ、環状ホース３には強い圧力をかけることが可能で、大きい張力を必要とする大型のテントやイベントの遊具などに適する。
【００２５】
図２cはシート２外周に連通した袋体を設け、該袋体を環状ホース３としたものであるから、環状ホース３とシート２を同一素材で一体整形できる利点があり、製造工程の単純化が可能となり、特に低圧で利用できる簡易雨傘などの安価に製造ができるものに適している。
【００２６】
図３はシート２が平面な遮蔽体４に柄５１を取り付けた雨傘を展張した状態で、図３aは平面図、図３bはb―b'で切断したときの断面図である。
従来の雨傘は中骨を芯にして親骨が開いてシートを張る構造であるが、本願発明は環状ホース３に空気等が圧入されて遮蔽体４が展張する仕組みであることから、中骨や親骨が必要でなく製造が非常に簡単であり、また、重量が非常に軽いから柄５１を自由な処に取り付けすることができ、更には、該遮蔽体４の中心に人が入れるので、遮蔽体４の大きさを小さくしても雨が掛からない。
遮蔽体４と柄５１の結着方法は、面ファスナーが取り外しも簡単にでき、これにより遮蔽体４を換えて楽しむ方法や使い捨てにしてもよく、柄５１についても遮蔽体４を展張するための流体制御機器１０を中に組み込むなど利便性の向上が可能である。
流体制御機器１０の仕組みについては図４で詳細に説明する。
【００２７】
図４は遮蔽体４に取り付ける柄５１の中に組み込まれた流体制御機器１０の形態の断面図で、図４aは手動のエアポンプを組み込んだもの、図４bは手動の他のエアポンプを組み込んだもの、図４cはエアボンベを組み込んだもの、図４dは電動小型コンプレッサーを組み込んだものである。
遮蔽体４と柄５１との接合方法は、その強度、遮蔽体４の取り外しの自由度や使い捨て、又、コストを考えると面ファスナーなどが良い。
更に遮蔽体４の接着面に空気等を圧入するチューブ１０５の接続口を内包し、流体制御機器１０に接続するときにチューブ１０５も同時にできるようにする。
雨傘などが必要とする空気圧は低圧でよいので、電動小型コンプレッサーを利用した流体圧入機器１０１、流体排出機器１０２、ストッパー・切り替え器１０３、流量・圧力計１０４などが組み込まれた携帯型を開発可能である。
【００２８】
図５は２本の環状ホース３を使用した平面の遮蔽体4を、自動車の日除けとして使用したときの自動車用日除けテント８で、図５aはその平面図、図５bは側面図である。
従来の自動車カバーは、自動車本体を包み込むため屋根で熱せられた空気が放熱されず、車窓外で熱が対流しないために車内に蓄熱されるからで、要因は誰しも分かっているが、図５bのように車上全体をカバーする簡易日除けカバーを考えても金属等の構造物となり、取り扱いの煩雑さや安価に製作ができなかった。
本願発明は環状ホース３に空気等が圧入されて遮蔽体４が展張する仕組みで軽量であるから自動車の上面一体に展張しても空間を設けることができ、金属などを使用しないので傷つけることがなく、取り扱いが簡単で、安価に製作できる。
【００２９】
図６はホースとチューブの特徴を図で比較したもので、図６aは公開実用新案の平５−１７０３６に記述されている門形をなす枠エレメントでチューブ構造のもの、図６bは本願発明の環状ホースによるものである。
環状ホースは空気等が圧入されることにより円周の外側へ働く張力(直進する力)が強く、常に外側に跳ねようとする力が働いており、途中を切断するようなことがあれば環状が崩れ、図６bのように１本のホースに戻る。
一方、前記文献の枠エレメントを構成するチューブは、図６aにあるようにチューブの製造時に既に形状を形成済みのもので、チューブの途中を切断して空気を圧入しても当初の形状を保つのが特徴で、前記文献中にも関連するような記述はない。
すなわち、環状ホースの特徴はこの直線状に戻ろうとする力が、環状の外への張力として働き、強い平面構造体をなすこと、ゆえに使用するホースのサイズが細くても展張強度の高い遮蔽体を提供するものです。
しかしながら、現実はチューブの中にもホースの機能に近いものもあり全て用語で仕切れるものではないとも思っている。
【００３０】
参考として次に用語について記述しております。「ホース」と「チューブ」の辞書の用語の解釈には、いずれも共通の意味で「管」として翻訳がされており、同意語のように扱われていますが、用語使用には文化的なものかも知れないが違いがあります。例えば、
(1)「消防用ホース」とは言うが「消防用チューブ」とは言いません。
(2)「歯磨用チューブ」とは言いますが、「歯磨用ホース」とは言いません。
(3)「タイヤチューブ」ですが、これも「タイヤホース」とは言いません。
以上のように違いがあり、本願発明で用いている「環状ホース」の語意はその特徴や意味するところを明確にしたく使用したもので、ご理解いただきたく思います。
【産業上の利用可能性】
【００３１】
遮蔽システムは、小さいものでは携帯型雨・日除け帽として、また、携帯型簡易雨傘として、また、自動車の日除けテントや大型の携帯型雨・日除けテント、そして遊具などその適用範囲は今後更に広がると確信しています。
【符号の説明】
【００３２】
１        遮蔽システム
２        シート
３        環状ホース
４        遮蔽体
５        遮蔽体の固定具
５１      柄
５５      吊り具・紐・ロープ
６１      簡易雨傘
８        自動車用日除けテント
１０      流体制御機器
１０１    流体圧入機器
１０２    流体排出機器
１０３    ストッパー・切り替え器
１０４    流量・圧力計
１０５    チューブ
１０６    手動エアポンプ(往復式)
１０７    手動エアポンプ(蛇腹式) 
１０８    ガスボンベ
１０９    小型電動コンプレッサー
【手続補正２】
【補正対象書類名】手続補正書
【補正対象項目名】手続補正４
【補正方法】変更
【補正の内容】
【手続補正４】
【補正対象書類名】図面
【補正対象項目名】全図
【補正方法】変更
【補正の内容】
【図１】
2014090770.tif 000015
【図２】
2014090770.tif 000016
【図３】
2014090770.tif 000017
【図４】
2014090770.tif 000018
【図５】
2014090770.tif 000019
【図６】
2014090770.tif 000020
【図７】
2014090770.tif 000021
【図８】
2014090770.tif 000022
【手続補正３】
【補正対象書類名】手続補正書
【補正対象項目名】手続補正５
【補正方法】削除
【補正の内容】
【手続補正４】
【補正対象書類名】手続補正書
【補正対象項目名】手続補正６
【補正方法】削除
【補正の内容】
【手続補正５】
【補正対象書類名】手続補正書
【補正対象項目名】手続補正７
【補正方法】削除
【補正の内容】